【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
特定周波数範囲に渡って、エタロン透過スペクトルと周期的ロック周波数グリッドとの間の位置調整を最適化するための方法であって、好適な周期性をエタロン透過スペクトル内に生成し、同時にエタロン位相差δ=2π(m+ε)の干渉次数の整数部ｍで定まる適切なエタロン透過ピークを、予め定められた端数干渉次数εにより、周期的ロック周波数グリッド内の予め定められた周波数に一致させる、有効エタロン厚さ(d.cosθ)の値を決定し実施することを含み、
周期的ロック周波数グリッドとエタロン透過ピークとの間の、意図された端数干渉次数εからの誤差が、特定周波数範囲に渡って、選択された最適化法に基づいて最小化されることを特徴とする前記方法。
【請求項２】
請求項１に記載の方法において、端数干渉次数εの値を決定し実施し、それにより有効エタロン厚さ(d.cosθ)とともに好適な周期性をエタロン透過スペクトル内に生成し、エタロン位相差δ=2π(m+ε)の干渉次数の整数部ｍで定まる適切なエタロン透過ピークを、正確な端数干渉次数εにより、周期的ロック周波数グリッド内の予め定められた周波数に一致させる、ことを含む、前記方法。
【請求項３】
請求項１あるいは２に記載の方法において、前記最適化法が
ａ．特定周波数範囲に渡る任意の周波数で観測される、意図された端数干渉次数εからの最大誤差を最小とすることと、
ｂ．特定周波数範囲に渡って、意図された端数干渉次数εからの絶対誤差の合計を最小とすることと、
ｃ．特定周波数範囲に渡って、意図された端数干渉次数εからの誤差の最小二乗値を求めること
の内のいずれか１つである、前記方法。
【請求項４】
請求項１から３のいずれか１つに記載の方法であって、周期的ロック周波数グリッドがＩＴＵグリッドである、前記方法。
【請求項５】
周波数ロック用途で使用するのに適したエタロンの製造並びに位置調整方法であって：
ａ．間隔のあいた予め定められたロック周波数の組を確立する工程と；
ｂ．予め定められたロック周波数の組の中に所望のロック周波数を選択する工程と；
ｃ．選択されたロック周波数でのエタロン位相差の干渉次数の整数部ｍの最適値を、端数干渉次数εを用いて計算する工程と；
ｄ．選択されたロック周波数に対応するエタロンの厚さ値を、最適化されたｍの値を用いて計算する工程と；
ｅ．有効厚さ d.cos(θ) が計算された厚さ値と等しくなるように、エタロン本体を研磨する工程と
を含む前記方法。
【請求項６】
請求項５に記載の方法において、前記工程ｃにおいて端数干渉次数εの値として所定の値が使用されることを特徴とする前記方法。
【請求項７】
請求項５に記載の方法において、前記工程ｃにおいて端数干渉次数εの値として指定値が使用され、さらに選択されたロック周波数に対応するエタロンの厚さを最適化されたｍとεの値を使用して計算することを特徴とする前記方法。
【請求項８】
請求項６に記載の方法は更に：
ｆ．選択されたロック周波数でのエタロン位相差の干渉次数の整数部ｍの初期推定値を選択し、選択されたロック周波数に対応するエタロンの厚さ値を、選択されたｍの値を用いて計算する工程と、
ｇ．エタロンの有効厚さの計算された値を用いて、エタロン・ロック周波数の組を計算する工程と、
ｈ．計算されたエタロン・ロック周波数と予め定められたロック周波数の組のそれぞれの周波数との間の偏差を決定する工程と、
ｉ．選択されたｍの値を調整する工程と、
ｊ．計算されたエタロン・ロック周波数と予め定められたロック周波数の組との間の相関を最適化するために前記工程（ｆ）から（ｉ）をゼロ回またはそれより多くの回数繰り返して、エタロンの最適厚さの値を求る工程と、
ｋ．有効厚さ d.cos(θ) が計算された最適厚さと等しくなるように、エタロン本体を研磨する工程と
を含む、前記方法。
【請求項９】
請求項７に記載の方法は更に：
ｆ．選択されたロック周波数でのエタロン位相差の干渉次数の整数部ｍの初期推定値を選択し、選択されたロック周波数に対応するエタロンの厚さ値を、選択されたｍの値を用いて計算する工程と、
ｇ．エタロンの有効厚さの計算された値を用いて、エタロン・ロック周波数の組を計算する工程と、
ｈ．計算されたエタロン・ロック周波数と予め定められたロック周波数の組のそれぞれの周波数との間の偏差を決定する工程と、
ｉ．εの値を調整して前記偏差を減少させる工程と、
ｊ．選択されたｍの値を調整する工程と、
ｋ．計算されたエタロン・ロック周波数と予め定められたロック周波数の組との間の相関を最適化するために前記工程（ｆ）から（ｊ）をゼロ回またはそれより多くの回数繰り返して、エタロンの最適厚さの値を求る工程と、
ｌ．有効厚さ d.cos(θ) が計算された最適厚さと等しくなるように、エタロン本体を研磨する工程と
を含む、前記方法。
【請求項１０】
請求項５から９のいずれか１つに記載の方法において、εが-0.5から+0.5の間の、エタロンの干渉次数の位相オフセットを表す実数であり、これにより周波数ロックが伝送ピーク（ε=0）で生じるかまたは、伝送ピークのいずれかの肩部（ε<>0）で生じるかが判定される、前記方法。
【請求項１１】
請求項５から１０のいずれか１つに記載の方法において、間隔をあけられた予め定められたロック周波数の組が、ＩＴＵグリッドを含む、前記方法。
【請求項１２】
請求項８記載の方法であって、所望のロック周波数を予め定められたロック周波数の別のものに調整し、前記工程（ｆ）から（ｊ）をゼロ回またはそれより多くの回数繰り返して、予め定められたロック周波数とエタロン・ロック周波数の間の全体周波数誤差を最小化することを含む、前記方法。
【請求項１３】
請求項９記載の方法であって、所望のロック周波数を予め定められたロック周波数の別のものに調整し、前記工程（ｆ）から（ｊ）をゼロ回またはそれより多くの回数繰り返して、予め定められたロック周波数とエタロン・ロック周波数の間の全体周波数誤差を最小化することを含む、前記方法。
【請求項１４】
請求項５から１３のいずれか１つに記載の方法において、θが０°から２０°の範囲内に選ばれ、これによりエタロン本体の研磨された厚さ内の小さな誤差を補正するための手段を提供する、前記方法。
【請求項１５】
請求項５から１４のいずれか１つに記載の方法において、エタロンが固体ダイアモンド本体を含む、前記方法。
【請求項１６】
請求項１から１５のいずれか１つに記載の方法により製造され、オプトエレクトロニクスパッケージまたは装置の中に装着されたエタロンを含む、波長ロッカであって、該エタロンは、該エタロンの有効厚さ d.cos(θ) が計算されたその厚さと等しくなるように、入射レーザビームに対してある角度をもって該波長ロッカに搭載されていて、ある一定温度のもとでフィードバック電子工学と組み合わせて動作するように構成され、フィードバック信号を調整可能なレーザに与えてレーザ放射周波数のフィードバック調整と、値ｍとεで定義されるエタロン透過曲線の特定の周波数ロック点とＩＴＵ周波数グリッドあるいは他の周期的周波数のセットのマッチング周波数との間の偏差を補償して所定の周波数範囲においてエタロンを作っている材料により決まる最大誤差値を超えないようにすることを特徴とする波長ロッカ。
【請求項１７】
請求項１６記載の波長ロッカにおいて、
ａ．Ｃ帯域（191.6 THz-196.2 THz）で動作する石英ガラス・エタロンを使用した波長ロッカに対して、前記フィードバック信号により補正される最大誤差は +/-400 MHz を超えないこと；
ｂ．Ｌ帯域（186.4 THz-191.6 THz）で動作する石英ガラス・エタロンを使用した波長ロッカに対して、前記フィードバック信号により補正される最大誤差は +/-400 MHz を超えないこと；
ｃ．Ｃ帯域およびＬ帯域の組み合わせ（186.4 THz-196.2 THz）で動作する石英ガラス・エタロンを使用した波長ロッカに対して、前記フィードバック信号により補正される最大誤差は +/-700 MHz を超えないこと；
ｄ．Ｃ帯域（191.6 THz-196.2 THz）で動作するダイアモンド・エタロンを使用した波長ロッカに対して、前記フィードバック信号により補正される最大誤差は +/-800 MHz を超えないこと；
ｅ．Ｌ帯域（186.4 THz-191.6 THz）で動作するダイアモンド・エタロンを使用した波長ロッカに対して、前記フィードバック信号により補正される最大誤差は +/-800 MHz を超えないこと；および
ｆ．Ｃ帯域およびＬ帯域の組み合わせ（186.4 THz-196.2 THz）で動作するダイアモンド・エタロンを使用した波長ロッカに対して、前記フィードバック信号により補正される最大誤差は +/-800 MHz を超えないこと
のうちいずれか一つが適用されることを特徴とする前記波長ロッカ。
【請求項１８】
請求項１７記載の波長ロッカにおいて、
ａ．Ｃ帯域（191.6 THz-196.2 THz）で動作する石英ガラス・エタロンを使用した波長ロッカに対して、前記フィードバック信号により補正される前記フィードバック信号により補正される最大誤差は +/-250 MHz を超えないこと；
ｂ．Ｌ帯域（186.4 THz-191.6 THz）で動作する石英ガラス・エタロンを使用した波長ロッカに対して、前記フィードバック信号により補正される最大誤差は +/-200 MHz を超えないこと；
ｃ．Ｃ帯域およびＬ帯域の組み合わせ（186.4 THz-196.2 THz）で動作する石英ガラス・エタロンを使用した波長ロッカに対して、前記フィードバック信号により補正される最大誤差は +/-600 MHz を超えないこと；
ｄ．Ｃ帯域（191.6 THz-196.2 THz）で動作するダイアモンド・エタロンを使用した波長ロッカに対して、前記フィードバック信号により補正される最大誤差は +/-600 MHz を超えないこと；
ｅ．Ｌ帯域（186.4 THz-191.6 THz）で動作するダイアモンド・エタロンを使用した波長ロッカに対して、前記フィードバック信号により補正される最大誤差は +/-600 MHz を超えないこと；および
ｆ．Ｃ帯域およびＬ帯域の組み合わせ（186.4 THz-196.2 THz）で動作するダイアモンド・エタロンを使用した波長ロッカに対して、前記フィードバック信号により補正される最大誤差は +/-600 MHz を超えないこと
のうちいずれか一つが適用されることを特徴とする前記波長ロッカ。
【請求項１９】
請求項１８記載の波長ロッカにおいて、
ａ．Ｃ帯域（191.6 THz-196.2 THz）で動作する石英ガラス・エタロンを使用した波長ロッカに対して、前記フィードバック信号により補正される最大誤差は +/-220 MHz を超えないこと；
ｂ．Ｌ帯域（186.4 THz-191.6 THz）で動作する石英ガラス・エタロンを使用した波長ロッカに対して、前記フィードバック信号により補正される最大誤差は +/-150 MHz を超えないこと；
ｃ．Ｃ帯域およびＬ帯域の組み合わせ（186.4 THz-196.2 THz）で動作する石英ガラス・エタロンを使用した波長ロッカに対して、前記フィードバック信号により補正される最大誤差は +/-550 MHz を超えないこと；
ｄ．Ｃ帯域（191.6 THz-196.2 THz）で動作するダイアモンド・エタロンを使用した波長ロッカに対して、前記フィードバック信号により補正される最大誤差は +/-500 MHz を超えないこと；
ｅ．Ｌ帯域（186.4 THz-191.6 THz）で動作するダイアモンド・エタロンを使用した波長ロッカに対して、前記フィードバック信号により補正される最大誤差は +/-540 MHz を超えないこと；および
ｆ．Ｃ帯域およびＬ帯域の組み合わせ（186.4 THz-196.2 THz）で動作するダイアモンド・エタロンを使用した波長ロッカに対して、前記フィードバック信号により補正される最大誤差は +/-540 MHz を超えないこと
のうちいずれか一つが適用されることを特徴とする前記波長ロッカ。
【請求項２０】
請求項１９記載の波長ロッカにおいて、
ａ．Ｃ帯域（191.6 THz-196.2 THz）で動作する石英ガラス・エタロンを使用した波長ロッカに対して、前記フィードバック信号により補正される最大誤差は +/-160 MHz を超えないこと；
ｂ．Ｌ帯域（186.4 THz-191.6 THz）で動作する石英ガラス・エタロンを使用した波長ロッカに対して、前記フィードバック信号により補正される最大誤差は +/-100 MHz を超えないこと；
ｃ．Ｃ帯域およびＬ帯域の組み合わせ（186.4 THz-196.2 THz）で動作する石英ガラス・エタロンを使用した波長ロッカに対して、前記フィードバック信号により補正される最大誤差は +/-450 MHz を超えないこと；
ｄ．Ｃ帯域（191.6 THz-196.2 THz）で動作するダイアモンド・エタロンを使用した波長ロッカに対して、前記フィードバック信号により補正される最大誤差は +/-350 MHz を超えないこと；
ｅ．Ｌ帯域（186.4 THz-191.6 THz）で動作するダイアモンド・エタロンを使用した波長ロッカに対して、前記フィードバック信号により補正される最大誤差は +/-350 MHz を超えないこと；および
ｆ．Ｃ帯域およびＬ帯域の組み合わせ（186.4 THz-196.2 THz）で動作するダイアモンド・エタロンを使用した波長ロッカに対して、前記フィードバック信号により補正される最大誤差は +/-480 MHz を超えないこと
のうちいずれか一つが適用されることを特徴とする前記波長ロッカ。
【請求項２１】
請求項２０記載の波長ロッカにおいて、
ａ．Ｃ帯域（191.6 THz-196.2 THz）で動作する石英ガラス・エタロンを使用した波長ロッカに対して、前記フィードバック信号により補正される最大誤差は +/-120 MHz を超えないこと；
ｂ．Ｌ帯域（186.4 THz-191.6 THz）で動作する石英ガラス・エタロンを使用した波長ロッカに対して、前記フィードバック信号により補正される最大誤差は +/-90 MHz を超えないこと；
ｃ．Ｃ帯域およびＬ帯域の組み合わせ（186.4 THz-196.2 THz）で動作する石英ガラス・エタロンを使用した波長ロッカに対して、前記フィードバック信号により補正される最大誤差は +/-410 MHz を超えないこと；
ｄ．Ｃ帯域（191.6 THz-196.2 THz）で動作するダイアモンド・エタロンを使用した波長ロッカに対して、前記フィードバック信号により補正される最大誤差は +/-250 MHz を超えないこと；
ｅ．Ｌ帯域（186.4 THz-191.6 THz）で動作するダイアモンド・エタロンを使用した波長ロッカに対して、前記フィードバック信号により補正される最大誤差は +/-250 MHz を超えないこと；および
ｆ．Ｃ帯域およびＬ帯域の組み合わせ（186.4 THz-196.2 THz）で動作するダイアモンド・エタロンを使用した波長ロッカに対して、最大誤差は +/-450 MHz を超えないこと
のうちいずれか一つを適用することを特徴とする前記波長ロッカ。
【請求項２２】
請求項２１記載の波長ロッカにおいて、
ａ．Ｃ帯域（191.6 THz-196.2 THz）で動作する石英ガラス・エタロンを使用した波長ロッカに対して、前記フィードバック信号により補正される最大誤差は +/-80 MHz を超えないこと；
ｂ．Ｌ帯域（186.4 THz-191.6 THz）で動作する石英ガラス・エタロンを使用した波長ロッカに対して、前記フィードバック信号により補正される最大誤差は +/-80 MHz を超えないこと；
ｃ．Ｃ帯域およびＬ帯域の組み合わせ（186.4 THz-196.2 THz）で動作する石英ガラス・エタロンを使用した波長ロッカに対して、前記フィードバック信号により補正される最大誤差は +/-390 MHz を超えないこと；
ｄ．Ｃ帯域（191.6 THz-196.2 THz）で動作するダイアモンド・エタロンを使用した波長ロッカに対して、前記フィードバック信号により補正される最大誤差は +/-150 MHz を超えないこと；
ｅ．Ｌ帯域（186.4 THz-191.6 THz）で動作するダイアモンド・エタロンを使用した波長ロッカに対して、前記フィードバック信号により補正される最大誤差は +/-200 MHz を超えないこと；および
ｆ．Ｃ帯域およびＬ帯域の組み合わせ（186.4 THz-196.2 THz）で動作するダイアモンド・エタロンを使用した波長ロッカに対して、前記フィードバック信号により補正される最大誤差は +/-430 MHz を超えないこと
のうちいずれか一つが適用されることを特徴とする前記波長ロッカ。
【請求項２３】
請求項１６から２２のいずれかに記載の波長ロッカにおいて、エタロンを波長ロッカ内に組み立てる前に予め定められている関連する周波数誤差表を有するエタロンを含むことを特徴とする波長ロッカ。
【請求項２４】
請求項２３記載の波長ロッカにおいて、予め定められた周波数誤差表の利点が、エタロン位相差δ=2π(ｍ＋ε)の干渉次数の整数部ｍと端数干渉次数εで定められるエタロン透過曲線上のピークを、ＩＴＵ周波数グリッドまたは周期的周波数のその他の組の予め定められた周波数に、予め定められた周波数誤差表の設計基準に基づいて詳細に位置調整することで実現される、前記波長ロッカ。
【請求項２５】
請求項１６から２４のいずれかに記載の波長ロッカにおいて、エタロンが固体の本体を有する前記波長ロッカ。
【請求項２６】
請求項１６から２５のいずれかに記載の波長ロッカにおいて、前記エタロンの本体がダイアモンドを含む前記波長ロッカ。